(57)【要約】【課題】家電の連携動作を行う範囲を設定することができ、且つ各人に応じた家電の連携動作を行うことができるホームゲートウェイを提供すること。【解決手段】本発明にかかるホームゲートウェイ１００は、ＩＥＥＥ８０２．１１ａｄ通信部１０１と、連携動作する家電の検知、及び連携動作する家電と自機との位置関係を検知する家電検知部１０２と、検知された位置関係に基づくＩＥＥＥ８０２．１１ａｄ規格による無線通信を行う範囲の調整、及びプローブリクエストに含まれる子機のＩＤの検出を行う通信制御部１０３と、家電連携部１０６と、動作管理テーブル１０４と、動作管理テーブル１０４を参照して、プローブリクエストに含まれる子機のＩＤに対応する家電機器及び連携動作を決定し、決定した家電機器に対して連携動作を指示するように家電連携部１０６へ命令するプログラム制御部１０５と、を備えている。【選択図】図２
2017076856.tif 000002
【特許請求の範囲】
【請求項１】
ＩＥＥＥ８０２．１１ａｄ規格による無線通信を子機との間で行うＩＥＥＥ８０２．１１ａｄ通信部と、
連携動作する家電の検知、及び前記連携動作する家電と自機との位置関係を検知する家電検知部と、
前記連携動作する家電と自機との位置関係に基づく前記ＩＥＥＥ８０２．１１ａｄ規格による無線通信を行う範囲の調整、及びプローブリクエストに含まれる子機のＩＤの検出を行う通信制御部と、
家電連携を実行する家電連携部と、
子機のＩＤ、家電機器、及び連携動作を対応付けて格納する動作管理テーブルと、
前記動作管理テーブルを参照して、前記プローブリクエストに含まれる子機のＩＤに対応する前記家電機器及び前記連携動作を決定し、決定した前記家電機器に対して、決定した前記連携動作を指示するように前記家電連携部へ命令するプログラム制御部と、
を備えるホームゲートウェイ。
【請求項２】
ユーザーに関する情報を含むＩＰパケットの送信元の子機が、家電連携対象子機か否かを判断する判断部と、
前記ＩＰパケットの送信元の子機が、前記家電連携対象子機である場合に、前記ＩＰパケットをあらかじめ登録されたサイトに自動送信するインターネット通信部と、
をさらに備える請求項１に記載のホームゲートウェイ。
【請求項３】
ホームゲートウェイと、子機と、家電とを有する家電連携システムであって、
前記ホームゲートウェイは、
ＩＥＥＥ８０２．１１ａｄ規格による無線通信を前記子機との間で行うＩＥＥＥ８０２．１１ａｄ通信部と、
連携動作する家電の検知、及び前記連携動作する家電と自機との位置関係を検知する家電検知部と、
前記連携動作する家電と自機との位置関係に基づく前記ＩＥＥＥ８０２．１１ａｄ規格による無線通信を行う範囲の調整、及びプローブリクエストに含まれる子機のＩＤの検出を行う通信制御部と、
家電連携を実行する家電連携部と、
子機のＩＤ、家電機器、及び連携動作を対応付けて格納する動作管理テーブルと、
前記動作管理テーブルを参照して、前記プローブリクエストに含まれる子機のＩＤに対応する前記家電機器及び前記連携動作を決定し、決定した前記家電機器に対して、決定した前記連携動作を指示するように前記家電連携部へ命令するプログラム制御部と、を備え、
前記子機は、
自機のＩＤを含む前記プローブリクエストを前記ホームゲートウェイへ送信する無線通信部を備える、
家電連携システム。
【請求項４】
前記ホームゲートウェイは、
ユーザーに関する情報を含むＩＰパケットの送信元の子機が、家電連携対象子機か否かを判断する判断部と、
前記ＩＰパケットの送信元の子機が、前記家電連携対象子機である場合に、前記ＩＰパケットをあらかじめ登録されたサイトに自動送信するインターネット通信部と、をさらに備え、
前記子機は、
ユーザーに関する情報を取得する情報取得部をさらに備え、
前記無線通信部は、前記自機のＩＤ及び前記ユーザーに関する情報を含むＩＰパケットを前記ホームゲートウェイへさらに送信する、請求項３に記載の家電連携システム。
【請求項５】
ホームゲートウェイにおける方法であって、
連携動作する家電があるか否かを判断し、
前記連携動作する家電がある場合に、前記連携動作する家電と自機との位置関係を検知し、
前記連携動作する家電と自機との位置関係に基づいて、ＩＥＥＥ８０２．１１ａｄ規格による無線通信を行う範囲の調整を行い、
プローブリクエストを子機から受信し、
受信したプローブリクエストに含まれる子機のＩＤにより子機を識別し、
識別した前記子機についての家電連携の情報を取得し、
識別した前記子機が自機に対して正常に帰属した場合に、前記家電連携の情報に基づく連携動作を開始すること、
を備える方法。
【請求項６】
ユーザーに関する情報を含むＩＰパケットを子機から受信し、
前記ＩＰパケットの送信元の子機が、家電連携対象子機か否かを判断し、
前記ＩＰパケットの送信元の子機が、前記家電連携対象子機である場合に、前記ＩＰパケットをあらかじめ登録されたサイトに自動送信すること、
をさらに備える請求項５に記載の方法。
【請求項７】
ホームゲートウェイにおける方法をコンピュータに行わせるためのプログラムであって、
前記方法は、
連携動作する家電があるか否かを判断し、
前記連携動作する家電がある場合に、前記連携動作する家電と自機との位置関係を検知し、
前記連携動作する家電と自機との位置関係に基づいて、ＩＥＥＥ８０２．１１ａｄ規格による無線通信を行う範囲の調整を行い、
プローブリクエストを子機から受信し、
受信したプローブリクエストに含まれる子機のＩＤにより子機を識別し、
識別した前記子機についての家電連携の情報を取得し、
識別した前記子機が自機に対して正常に帰属した場合に、前記家電連携の情報に基づく連携動作を開始すること、
を含むプログラム。
【請求項８】
前記方法は、
ユーザーに関する情報を含むＩＰパケットを子機から受信し、
前記ＩＰパケットの送信元の子機が、家電連携対象子機か否かを判断し、
前記ＩＰパケットの送信元の子機が、前記家電連携対象子機である場合に、前記ＩＰパケットをあらかじめ登録されたサイトに自動送信すること、
をさらに含む請求項７に記載のプログラム。
【発明の詳細な説明】
【技術分野】
【０００１】
本発明は、ホームゲートウェイ、家電連携システム、その方法及びプログラムに関し、特に、各人に応じた家電の連携動作を行うことができるホームゲートウェイ、そのホームゲートウェイを含む家電連携システム、そのホームゲートウェイを用いた方法及びプログラムに関する。
【背景技術】
【０００２】
近年、部屋等の特定の範囲への人の侵入・退出に応じて、家電を連携動作させるシステムが望まれている。特定の範囲への人の侵入・退出を判定する仕組みとして、人感センサを用いることが考えられる。しかし、人感センサでは、特定の範囲への侵入・退出を行った人が誰であるのかまで特定することはできないため、各人に応じた家電の連携動作を行うことはできない。
【０００３】
特許文献１には、人の移動に伴って携帯端末が部屋を移動すると、携帯端末の帰属及び離脱に関する情報が、移動に関連する無線アクセスポイントからホームゲートウェイに送信され、ホームゲートウェイは、受信した情報に基づいて、家電等のネットワーク機器を制御する技術が開示されている。
【先行技術文献】
【特許文献】
【０００４】
【特許文献１】特開２００９−２３２３０７号公報
【発明の概要】
【発明が解決しようとする課題】
【０００５】
特許文献１に開示された技術により、各人に応じた家電の連携動作を行うことができる。しかし、特許文献１に開示された技術では、ホームゲートウェイに加えて、各部屋に無線アクセスポイントを設置する必要があり、ホームゲートウェイのみにより各人に応じた家電の連携動作を行うことはできないという問題があった。また、特許文献１の無線アクセスポイントは、通信可能範囲を調節する機能を備えておらず、特許文献１のホームゲートウェイ及び無線アクセスポイントを用いても家電の連携動作を行う範囲を設定することはできないという問題があった。
【０００６】
本発明は、このような問題点を解決するためになされたものであり、家電の連携動作を行う範囲を設定することができ、且つ各人に応じた家電の連携動作を行うことができるホームゲートウェイ、家電連携システム、その方法及びプログラムを提供することを目的とする。
【課題を解決するための手段】
【０００７】
本発明の第１の態様にかかるホームゲートウェイは、ＩＥＥＥ８０２．１１ａｄ規格による無線通信を子機との間で行うＩＥＥＥ８０２．１１ａｄ通信部と、連携動作する家電の検知、及び前記連携動作する家電と自機との位置関係を検知する家電検知部と、前記連携動作する家電と自機との位置関係に基づく前記ＩＥＥＥ８０２．１１ａｄ規格による無線通信を行う範囲の調整、及びプローブリクエストに含まれる子機のＩＤの検出を行う通信制御部と、家電連携を実行する家電連携部と、子機のＩＤ、家電機器、及び連携動作を対応付けて格納する動作管理テーブルと、前記動作管理テーブルを参照して、前記プローブリクエストに含まれる子機のＩＤに対応する前記家電機器及び前記連携動作を決定し、決定した前記家電機器に対して、決定した前記連携動作を指示するように前記家電連携部へ命令するプログラム制御部と、を備えるものである。
【０００８】
本発明の第２の態様にかかる家電連携システムは、ホームゲートウェイと、子機と、家電とを有し、前記ホームゲートウェイは、ＩＥＥＥ８０２．１１ａｄ規格による無線通信を前記子機との間で行うＩＥＥＥ８０２．１１ａｄ通信部と、連携動作する家電の検知、及び前記連携動作する家電と自機との位置関係を検知する家電検知部と、前記連携動作する家電と自機との位置関係に基づく前記ＩＥＥＥ８０２．１１ａｄ規格による無線通信を行う範囲の調整、及びプローブリクエストに含まれる子機のＩＤの検出を行う通信制御部と、家電連携を実行する家電連携部と、子機のＩＤ、家電機器、及び連携動作を対応付けて格納する動作管理テーブルと、前記動作管理テーブルを参照して、前記プローブリクエストに含まれる子機のＩＤに対応する前記家電機器及び前記連携動作を決定し、決定した前記家電機器に対して、決定した前記連携動作を指示するように前記家電連携部へ命令するプログラム制御部と、を備え、前記子機は、自機のＩＤを含む前記プローブリクエストを前記ホームゲートウェイへ送信する無線通信部を備えるものである。
【０００９】
本発明の第３の態様にかかるホームゲートウェイにおける方法は、連携動作する家電があるか否かを判断し、前記連携動作する家電がある場合に、前記連携動作する家電と自機との位置関係を検知し、前記連携動作する家電と自機との位置関係に基づいて、ＩＥＥＥ８０２．１１ａｄ規格による無線通信を行う範囲の調整を行い、プローブリクエストを子機から受信し、受信したプローブリクエストに含まれる子機のＩＤにより子機を識別し、識別した前記子機についての家電連携の情報を取得し、識別した前記子機が自機に対して正常に帰属した場合に、前記家電連携の情報に基づく連携動作を開始することを備えるものである。
【００１０】
本発明の第４の態様にかかるホームゲートウェイにおける方法をコンピュータに行わせるためのプログラムは、前記方法は、連携動作する家電があるか否かを判断し、前記連携動作する家電がある場合に、前記連携動作する家電と自機との位置関係を検知し、前記連携動作する家電と自機との位置関係に基づいて、ＩＥＥＥ８０２．１１ａｄ規格による無線通信を行う範囲の調整を行い、プローブリクエストを子機から受信し、受信したプローブリクエストに含まれる子機のＩＤにより子機を識別し、識別した前記子機についての家電連携の情報を取得し、識別した前記子機が自機に対して正常に帰属した場合に、前記家電連携の情報に基づく連携動作を開始すること、を含むものである。
【発明の効果】
【００１１】
本発明により、家電の連携動作を行う範囲を設定することができ、且つ各人に応じた家電の連携動作を行うことができるホームゲートウェイ、家電連携システム、その方法及びプログラムを提供することができる。
【図面の簡単な説明】
【００１２】
【図１】本発明の実施の形態１にかかる家電連携システムの構成を示す図である。
【図２】本発明の実施の形態１にかかるホームゲートウェイの構成を示すブロック図である。
【図３】本発明の実施の形態１にかかる子機の構成を示すブロック図である。
【図４】本発明の実施の形態１にかかる子機がホームゲートウェイに帰属するための処理の一例を示すシーケンス図である。
【図５】本発明の実施の形態１にかかるホームゲートウェイがＩＥＥＥ８０２．１１ａｄ規格による無線通信を行う範囲の調整を行う処理の一例を示すフローチャートである。
【図６】本発明の実施の形態１にかかるホームゲートウェイが家電連携動作する処理の一例を示すフローチャートである。
【図７】本発明の実施の形態１にかかる動作管理テーブルの一例を示す図である。
【図８】本発明の実施の形態２にかかる家電連携システムの構成を示す図である。
【図９】本発明の実施の形態２にかかる子機の構成を示すブロック図である。
【図１０】本発明の実施の形態２にかかるホームゲートウェイの構成を示すブロック図である。
【発明を実施するための形態】
【００１３】
実施の形態１
以下、図面を参照して本発明の実施の形態１について説明する。まず、図１を用いて、本発明の実施の形態１にかかる家電連携システムの構成について説明する。実施の形態１にかかる家電連携システムは、ホームゲートウェイ（HGW）１００と、連携動作する家電と、子機２００とを備えている。図１の例では、連携動作する家電として、照明３００、テレビ４００、ステレオ５００を示している。また、ホームゲートウェイ１００、照明３００、テレビ４００、ステレオ５００は、部屋１０００内に設置されている。
【００１４】
ホームゲートウェイ１００、子機２００については、後に図２、図３を用いて詳述する。
【００１５】
照明３００、テレビ４００、ステレオ５００は、それぞれホームゲートウェイ１００と無線通信を行う機能を備えている。なお、照明３００、テレビ４００、ステレオ５００が、ホームゲートウェイ１００と行う無線通信の規格は、どのようなものであってもよい。また、照明３００、テレビ４００、ステレオ５００は、それぞれ無線通信によりホームゲートウェイ１００に対して帰属状態となっているものとする。
【００１６】
続いて、図２を用いて、本発明の実施の形態１にかかるホームゲートウェイの構成について説明する。ホームゲートウェイ１００は、ＩＥＥＥ（Institute of Electrical and Electronic Engineers）８０２．１１ａｄ通信部１０１と、家電検知部１０２と、通信制御部１０３と、動作管理テーブル１０４と、プログラム制御部１０５と、家電連携部１０６と、を備えている。
【００１７】
ＩＥＥＥ８０２．１１ａｄ通信部１０１は、ＩＥＥＥ８０２．１１ａｄ規格による無線通信を子機２００との間で行う通信部である。ＩＥＥＥ８０２．１１ａｄ規格は、６０ＧＨｚ帯で無線通信を行う規格である。６０ＧＨｚ帯の電波は、直進性が高く、回析性に乏しい。このため、ＩＥＥＥ８０２．１１ａｄ規格の無線通信を部屋内で行う場合、その信号は、壁等の遮蔽物で反射することとなり、部屋の外には電波が漏れにくい。
【００１８】
ＩＥＥＥ８０２．１１ａｄ通信部１０１は、子機２００からプローブリクエストを受信する。また、ＩＥＥＥ８０２．１１ａｄ通信部１０１は、受信したプローブリクエストを通信制御部１０３へ出力する。また、ＩＥＥＥ８０２．１１ａｄ通信部１０１は、プローブレスポンスを子機２００へ送信する。
【００１９】
家電検知部１０２は、連携動作する家電の検知、及び連携動作する家電と自機（ホームゲートウェイ１００）との位置関係を検知する機能部である。
【００２０】
家電検知部１０２は、連携動作する家電があるか否かの検知を、例えば、ホームゲートウェイ１００に帰属している家電があるか否かを検知することにより行う。ここでは、図１における照明３００、テレビ４００、ステレオ５００が連携動作する家電であるとして以降の説明を行う。
【００２１】
また、家電検知部１０２は、照明３００、テレビ４００、ステレオ５００と自機との位置関係を検知する。位置関係の検知は、例えば、照明３００、テレビ４００、ステレオ５００と自機との位置関係を検知するセンサを用いて行う。この場合、位置関係として、例えば自機から照明３００、テレビ４００、ステレオ５００それぞれの位置する方向および距離を検知するようにしてもよい。
【００２２】
また、位置関係の検知は、例えば、照明３００、テレビ４００、ステレオ５００から送信される信号の受信信号強度を用いて行ってもよい。例えば、照明３００、テレビ４００、ステレオ５００は、自身の送信する送信レベルを含む信号を送信するようにしてもよい。この場合、家電検知部１０２は、照明３００、テレビ４００、ステレオ５００から送信される信号の受信信号強度と、当該信号に含まれる送信レベルとを用いて位置関係を検知する。すなわち、位置関係として、ホームゲートウェイ１００と、照明３００、テレビ４００、ステレオ５００それぞれとの距離を検知する。
【００２３】
そして、家電検知部１０２は、検知した位置関係を通信制御部１０３へ出力する。
【００２４】
通信制御部１０３は、プローブリクエストをＩＥＥＥ８０２．１１ａｄ通信部１０１から受け取る。また、通信制御部１０３は、プローブリクエストに含まれる子機２００のＩＤ（identification）の検出を行う。ここで、子機２００のＩＤとは、例えば子機２００のＭＡＣ（Media Access Control）アドレスである。そして、通信制御部１０３は、検出した子機２００のＩＤをプログラム制御部１０５へ出力する。
【００２５】
また、通信制御部１０３は、連携動作する家電と自機との位置関係を家電検知部１０２から受け取る。また、通信制御部１０３は、連携動作する家電と自機との位置関係に基づいて、ＩＥＥＥ８０２．１１ａｄ規格による無線通信を行う範囲の調整を行う。例えば、通信制御部１０３は、連携動作するすべての家電の位置に送信信号が到達する送信レベルとするように、ＩＥＥＥ８０２．１１ａｄ通信部１０１の送信出力調整を行う。ＩＥＥＥ８０２．１１ａｄ規格の６０ＧＨｚ帯の電波は、直進性が高く、壁等の遮蔽物で反射するため、例えば、連携動作するすべての家電の位置に送信信号が到達する送信レベルとすることにより、当該部屋の内部のみＩＥＥＥ８０２．１１ａｄ通信を行う範囲とすることができる。
【００２６】
さらに、通信制御部１０３は、子機をホームゲートウェイ１００に帰属させる処理も行う。子機をホームゲートウェイ１００に帰属させる処理の例を、後に図４を用いて説明する。
【００２７】
動作管理テーブル１０４は、子機２００のＩＤ、家電機器、及び連携動作を対応付けて格納している。
【００２８】
プログラム制御部１０５は、子機２００のＩＤを通信制御部１０３から受け取る。また、プログラム制御部１０５は、動作管理テーブル１０４を参照して、受け取った子機２００のＩＤに対応する家電機器及び連携動作を決定する。そして、プログラム制御部１０５は、決定した家電機器に対して、決定した連携動作を指示する命令を家電連携部１０６へ出力する。
【００２９】
家電連携部１０６は、家電連携を実行する機能部である。具体的には、家電連携部１０６は、家電機器との連携動作を指示する命令をプログラム制御部１０５から受け取る。そして、家電連携部１０６は、受け取った命令に応じて、家電機器に対して連携動作を指示する。
【００３０】
以上、説明したように、本発明の実施の形態１にかかる図２のホームゲートウェイ１００では、家電と自機との位置関係に基づいて、ＩＥＥＥ８０２．１１ａｄ規格による無線通信を行う範囲の調整を行うことができる。
【００３１】
また、動作管理テーブル１０４を参照して、プローブリクエストに含まれる子機２００のＩＤに対応する家電機器に対して、子機２００のＩＤに対応する連携動作を指示することができる。
【００３２】
したがって、家電の連携動作を行う範囲を設定することができ、且つ各人に応じた家電の連携動作を行うことができる。
【００３３】
続いて、図３を用いて、本発明の実施の形態１にかかる子機の構成について説明する。子機２００は、ユーザーによって携帯される機器である。子機２００は、例えばスマートフォン等の携帯端末であってもよい。子機２００は、無線通信部２０１を備えている。
【００３４】
無線通信部２０１は、ＩＥＥＥ８０２．１１ａｄ規格による無線通信をホームゲートウェイ１００との間で行う通信部である。無線通信部２０１は、自機（子機２００）のＩＤを含むプローブリクエストをホームゲートウェイ１００へ送信する。また、無線通信部２０１は、プローブレスポンスをホームゲートウェイ１００から受信する。
【００３５】
続いて、図４に示すシーケンス図を用いて、子機２００がホームゲートウェイ１００に帰属するための処理の一例について説明する。
【００３６】
子機２００は、プローブリクエストをホームゲートウェイ１００へ送信する（Ｓ１０１）。ホームゲートウェイ１００は、ＩＥＥＥ８０２．１１ａｄ通信部１０１によりプローブリクエストを受信すると、ＩＥＥＥ８０２．１１ａｄ通信部１０１によりプローブレスポンスを子機２００へ送信する（Ｓ１０２）。
【００３７】
子機２００は、プローブレスポンスを受信すると、認証リクエストをホームゲートウェイ１００へ送信する（Ｓ１０３）。ホームゲートウェイ１００は、ＩＥＥＥ８０２．１１ａｄ通信部１０１により認証リクエストを受信し、認証に成功すると、ＩＥＥＥ８０２．１１ａｄ通信部１０１により認証レスポンスを子機２００へ送信する（Ｓ１０４）。
【００３８】
子機２００は、認証レスポンスを受信すると、アソシエーションリクエストをホームゲートウェイ１００へ送信する（Ｓ１０５）。ホームゲートウェイ１００は、ＩＥＥＥ８０２．１１ａｄ通信部１０１によりアソシエーションリクエストを受信すると、ＩＥＥＥ８０２．１１ａｄ通信部１０１によりアソシエーションレスポンスを子機２００へ送信する（Ｓ１０６）。以上により、子機２００はホームゲートウェイ１００に帰属することになる。
【００３９】
なお、ＩＥＥＥ８０２．１１ａｄ通信部１０１の送信出力調整を行うと、プローブレスポンス、認証レスポンス、及びアソシエーションレスポンスの到達範囲が調整される。プローブレスポンス、認証レスポンス、及びアソシエーションレスポンスの到達範囲外の子機２００は、ホームゲートウェイ１００に帰属することができず、到達範囲内の子機２００のみホームゲートウェイ１００に帰属することができる。このため、ＩＥＥＥ８０２．１１ａｄ通信部１０１の送信出力調整により家電の連携動作を行う範囲を設定することができる。
【００４０】
続いて、図５に示すフローチャートを用いて、ホームゲートウェイ１００がＩＥＥＥ８０２．１１ａｄ規格による無線通信を行う範囲の調整を行う処理の一例について説明する。
【００４１】
まず、ホームゲートウェイ１００は、連携動作する家電があるか否かを検知する（Ｓ２０１）。なお、Ｓ２０１は、例えば所定の周期で行うようにしてもよい。
【００４２】
Ｓ２０１にて、連携動作する家電がないと判断された場合、Ｓ２０１に戻る。他方、Ｓ２０１にて、連携動作する家電があると判断された場合、連携動作する家電と自機との位置関係を検知する（Ｓ２０２）。
【００４３】
Ｓ２０２の後、ホームゲートウェイ１００は、連携動作する家電と自機との位置関係に基づいて、ＩＥＥＥ８０２．１１ａｄ規格による無線通信を行う範囲の調整を行い（Ｓ２０３）、Ｓ２０１に戻る。
【００４４】
続いて、図６に示すフローチャートを用いて、ホームゲートウェイ１００が家電連携動作する処理の例について説明する。
【００４５】
まず、ホームゲートウェイ１００は、子機２００からプローブリクエストを受信する（Ｓ３０１）。次に、受信したプローブリクエストに含まれる子機２００のＩＤにより子機２００を識別する（Ｓ３０２）。
【００４６】
次に、ホームゲートウェイ１００は、識別した子機２００についての家電連携の情報を取得する（Ｓ３０３）。なお、家電連携の情報の取得は、例えば、識別した子機２００のＩＤを元に、動作管理テーブル１０４を参照することにより行う。
【００４７】
次に、ホームゲートウェイ１００は、識別した子機２００に対してプローブレスポンスを送信する（Ｓ３０４）。
【００４８】
次に、ホームゲートウェイ１００は、識別した子機２００、すなわちプローブリクエストを送信してきた子機２００が、家電連携対象子機か否かを判定（Ｓ３０５）し、家電連携対象子機ではない場合、家電連携しない（Ｓ３０６）。
【００４９】
他方、家電連携対象子機である場合、家電連携のための準備を行い、当該子機２００の帰属を待つ（Ｓ３０７）。
【００５０】
なお、家電連携対象子機か否かは、例えば、動作管理テーブル１０４を参照して判定する。この場合、動作管理テーブル１０４に子機２００のＩＤが格納されている子機２００は、家電連携対象子機と判定し、動作管理テーブル１０４に子機２００のＩＤが格納されていない子機２００は、家電連携対象子機ではないと判定する。
【００５１】
子機２００が自機に対して正常に帰属した場合、Ｓ３０３にて取得していた家電連携の情報に基づく連携動作を開始する（Ｓ３０８）。子機２００が帰属しない場合は何もしない（Ｓ３０９）。なお、子機２００が自機に対して正常に帰属したか否かは、例えば、アソシエーションレスポンスを当該子機２００へ送信したか否かにより判定する。
【００５２】
続いて、図７に示すテーブルを用いて、動作管理テーブル１０４の一例について説明する。なお、動作管理テーブル１０４の内容は、ユーザーが自らの行動パターンや好みに応じて登録することができる。
【００５３】
動作管理テーブル１０４には、子機ＩＤ、家電機器、イベント、及び連携動作が対応付けて格納されている。ここで、イベントには、子機２００がホームゲートウェイ１００に帰属することを示す「帰属」、又は子機２００とホームゲートウェイ１００との接続がはずれることを示す「切断」が格納されている。
【００５４】
図７に示した動作管理テーブル１０４には、子機ＩＤが０００１である子機がホームゲートウェイ１００に帰属したときの連携動作として、照明の直接照明をオンし、テレビの電源をオンし、ステレオの電源をオフすることが格納されている。また、動作管理テーブル１０４には、子機ＩＤが０００２である子機がホームゲートウェイ１００に帰属したときの連携動作として、照明の間接照明をオンし、テレビの電源をオフし、ステレオの電源をオンすることが格納されている。さらに、すべての子機を対象として、子機とホームゲートウェイ１００との接続がはずれたときの連携動作として、照明をオフすることが格納されている。
【００５５】
なお、図７の例において、子機ＩＤが０００１である子機と、子機ＩＤが０００２である子機の両方がホームゲートウェイ１００に帰属した場合には、例えば子機の優先度を用いていずれかの子機の連携動作を実行するようにしてもよい。
【００５６】
また、図７の例では、子機が帰属したときの連携動作として、３つの家電機器（照明、テレビ、及びステレオ）の連携動作が動作管理テーブル１０４に格納されているが、連携動作させたい家電機器のみ登録しておくようにしてもよい。例えば、子機ＩＤが０００１である子機については、照明とテレビの連携動作を登録し、子機ＩＤが０００２である子機については、照明の連携動作のみ登録するようにしてもよい。
【００５７】
さらに、図７の動作管理テーブル１０４に示すように、登録外の子機、すなわち動作管理テーブル１０４に子機ＩＤが格納されていない子機がホームゲートウェイ１００に帰属した場合に、テレビに警告を表示するようにしてもよい。
【００５８】
以上、説明したように、本発明の実施の形態１にかかるホームゲートウェイ１００では、家電と自機との位置関係に基づいて、ＩＥＥＥ８０２．１１ａｄ規格による無線通信を行う範囲の調整を行うことができる。また、動作管理テーブル１０４を参照して、プローブリクエストに含まれる子機２００のＩＤに対応する家電機器に対して、子機２００のＩＤに対応する連携動作を指示することができる。
【００５９】
したがって、家電の連携動作を行う範囲を設定することができ、且つ各人に応じた家電の連携動作を行うことができる。
【００６０】
実施の形態２
続いて、図８を用いて、本発明の実施の形態２にかかる家電連携システムの構成について説明する。本発明の実施の形態２は、家電連携システムを健康管理システムとして使用する例を示す実施の形態である。
【００６１】
実施の形態２にかかる家電連携システムは、ホームゲートウェイ６００と、連携動作する家電と、子機７００とを備えている。図８の例では、連携動作する家電として、照明３００、テレビ４００、ステレオ５００を示している。また、ホームゲートウェイ６００、照明３００、テレビ４００、ステレオ５００は、部屋１０００内に設置されている。さらに、ホームゲートウェイ６００は、インターネットに接続されている。なお、照明３００、テレビ４００、ステレオ５００の構成は、図１に示す構成と同様であり、説明を省略する。
【００６２】
続いて、図９を用いて、本発明の実施の形態２にかかる子機の構成について説明する。子機７００は、情報取得部７０１と、無線通信部７０２とを備えている。
【００６３】
情報取得部７０１は、子機７００を使用しているユーザーに関する情報を取得する。ここで、ユーザーに関する情報とは、例えば脈拍、歩数等のユーザーの健康に関する情報等である。また、情報取得部７０１は、取得したユーザーに関する情報を無線通信部７０２へ出力する。
【００６４】
無線通信部７０２は、ユーザーに関する情報を情報取得部７０１から受け取る。また、無線通信部７０２は、当該子機７００が、ホームゲートウェイ６００に対して帰属することで、ユーザーに関する情報を含むＩＰ（Internet Protocol）パケットをホームゲートウェイ６００へ自動送信する。ここで、自動送信とは、ユーザーによる手動操作なしで行う送信のことを示す。なお、ＩＰパケットには、送信元のアドレスとして、当該子機７００のＩＤが含まれているものとする。
【００６５】
続いて、図１０を用いて、本発明の実施の形態２にかかるホームゲートウェイの構成について説明する。ホームゲートウェイ６００は、家電検知部１０２と、動作管理テーブル１０４と、プログラム制御部１０５と、家電連携部１０６と、ＩＥＥＥ８０２．１１ａｄ通信部６０１と、通信制御部６０２と、判断部６０３と、インターネット通信部６０４とを備えている。なお、家電検知部１０２、動作管理テーブル１０４、プログラム制御部１０５、及び家電連携部１０６の構成は、図２に示す構成と同様であり、説明を省略する。
【００６６】
ＩＥＥＥ８０２．１１ａｄ通信部６０１は、ユーザーに関する情報を含むＩＰパケットを子機７００から受信する。また、ＩＥＥＥ８０２．１１ａｄ通信部６０１は、受信したＩＰパケットを通信制御部６０２へ出力する。なお、ＩＥＥＥ８０２．１１ａｄ通信部６０１における、ユーザーに関する情報を含むＩＰパケット以外に関する処理については、図２のＩＥＥＥ８０２．１１ａｄ通信部１０１と同様であり説明を省略する。
【００６７】
通信制御部６０２は、ユーザーに関する情報を含むＩＰパケットをＩＥＥＥ８０２．１１ａｄ通信部６０１から受け取る。また、通信制御部６０２は、当該ＩＰパケットに含まれる子機７００のＩＤの検出を行う。そして、通信制御部６０２は、検出した子機７００のＩＤ及びＩＰパケットを判断部６０３へ出力する。なお、通信制御部６０２における、ユーザーに関する情報を含むＩＰパケット以外に関する処理については、図２の通信制御部１０３と同様であり説明を省略する。
【００６８】
判断部６０３は、子機７００のＩＤ及びＩＰパケットを通信制御部６０２から受け取る。また、判断部６０３は、ユーザーに関する情報を含むＩＰパケットの送信元の子機７００が、家電連携対象子機か否かを判断する。なお、家電連携対象子機か否かは、例えば、動作管理テーブル１０４を参照して判断する。この場合、判断部６０３は、動作管理テーブル１０４に子機７００のＩＤが格納されている子機７００は、家電連携対象子機と判断する。また、判断部６０３は、動作管理テーブル１０４に子機７００のＩＤが格納されていない子機７００は、家電連携対象子機ではないと判断する。
【００６９】
そして、判断部６０３は、ユーザーに関する情報を含むＩＰパケットの送信元の子機７００が、家電連携対象子機と判断したときのみ、当該ＩＰパケットをインターネット通信部６０４へ出力する。
【００７０】
インターネット通信部６０４は、ユーザーに関する情報を含むＩＰパケットを判断部６０３から受け取る。そして、インターネット通信部６０４は、受け取ったＩＰパケットを、あらかじめ登録されたサイトに自動送信する。
【００７１】
以上、説明したように、本発明の実施の形態２にかかるホームゲートウェイ６００では、家電連携対象子機からのＩＰパケットを、あらかじめ登録されたサイトに自動送信することができる。これにより、例えば、遠隔地でひとり暮らしをしている人の就寝部屋を、家電の連携動作を行う範囲に設定することで、ひとり暮らしをしている人の健康等に関する情報を、遠く離れた家族へ自動で通知することができる。
【００７２】
なお、上述した例では、ＩＰパケットに含まれる子機のＩＤの検出を通信制御部６０２により行うこととして説明したが、ＩＰパケットに含まれる子機のＩＤの検出は、判断部６０３により行うようにしてもよい。この場合、通信制御部６０２は、ＩＰパケットのみを判断部６０３へ出力すればよい。
【００７３】
なお、本発明は上記実施の形態に限られたものではなく、趣旨を逸脱しない範囲で適宜変更することが可能である。例えば、ホームゲートウェイは、ＩＥＥＥ８０２．１１ａｄ通信部に加えて、ＩＥＥＥ８０２．１１ａｄ通信規格以外の規格により子機と無線通信を行う通信部を備える構成としてもよい。例えば、ホームゲートウェイは、ＩＥＥＥ８０２．１１ａｃ通信規格により子機と無線通信を行うＩＥＥＥ８０２．１１ａｃ通信部も備える構成としてもよい。この場合、ホームゲートウェイは、家電連携に関する通信以外の無線通信について、ＩＥＥＥ８０２．１１ａｃ通信部により子機と無線通信を行うようにしてもよい。
【００７４】
また、上述した実施の形態の各処理は、ソフトウェアによって実行されてもよい。すなわち、各処理を行うためのコンピュータ・プログラムが、ホームゲートウェイ及び子機が備えるＣＰＵ（Ｃｅｎｔｒａｌ  Ｐｒｏｃｅｓｓｉｎｇ  Ｕｎｉｔ）によって読み込まれ、実行されてもよい。プログラムを用いて各処理を行っても、上述の実施の形態の処理と同内容の処理を行うことができる。そして、上記のプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７５】
１００、６００    ホームゲートウェイ
１０１、６０１    ＩＥＥＥ８０２．１１ａｄ通信部
１０２    家電検知部
１０３、６０２    通信制御部
１０４    動作管理テーブル
１０５    プログラム制御部
１０６    家電連携部
２００、７００    子機
２０１、７０２    無線通信部
３００    照明
４００    テレビ
５００    ステレオ
６０３    判断部
６０４    インターネット通信部
７０１    情報取得部
１０００    部屋
【図１】
2017076856.tif 000003
【図２】
2017076856.tif 000004
【図３】
2017076856.tif 000005
【図４】
2017076856.tif 000006
【図５】
2017076856.tif 000007
【図６】
2017076856.tif 000008
【図７】
2017076856.tif 000009
【図８】
2017076856.tif 000010
【図９】
2017076856.tif 000011
【図１０】
2017076856.tif 000012